(57)【要約】【課題】ランプピン間隔が異なる蛍光ランプに、簡易な構成により適正な電力を間違うことなく供給することができる照明器具を提供する。【解決手段】蛍光ランプ１１の口金１２に設けられている１対のランプピン１３，１４の長さを定格電力に応じて変え、ソケット２０に装着されたランプピン１３，１４の長さを自動判別して、長さに対応して電源端子２１に供給する電力を変えるようにしたので、蛍光ランプ１１をソケット２０に装着するだけで、装着された蛍光ランプ１１に間違いなく定格電力を供給することができる。【選択図】図１
2009283231.tif 000002
【特許請求の範囲】
【請求項１】
蛍光ランプの端部に設けられている口金から突設されている１対のランプピンを、ソケットに設けられている電源端子に接続して前記蛍光ランプを点灯させる照明器具であって、
前記蛍光ランプの種類に応じて前記ランプピンの長さを変えるとともに、前記ソケットに装着された前記ランプピンの長さを自動判別して、ランプピンの長さに対応して前記電源端子に供給する電力を変えることを特徴とする照明器具。
【請求項２】
前記ソケット内部の前記蛍光ランプ側に前記電源端子を配置するとともに、前記電源端子の後方に長い前記ランプピンのみを検出する検出端子を設けたことを特徴とする請求項１記載の照明器具。
【請求項３】
前記ソケット内部における前記蛍光ランプ側およびその後方に同心の回転子を各々独立して回転可能に設け、短い前記ランプピンが装着された場合には前記蛍光ランプ側の回転子のみが回転し、長い前記ランプピンが装着された場合には両回転子が回転することにより前記ランプピンの長さを判別することを特徴とする請求項１記載の照明器具。
【請求項４】
前記ソケット内部の前記蛍光ランプ側に前記電源端子を配置するとともに、前記電源端子の後方に長い前記ランプピンのみが接触するスイッチを設けたことを特徴とする請求項１記載の照明器具。
【発明の詳細な説明】
【技術分野】
【０００１】
本発明は、蛍光ランプのサイズに応じて所定の定格電力を供給することができる照明器具に関するものである。
【背景技術】
【０００２】
図５に示すように、従来の照明器具に装着可能な蛍光ランプ１０１には、蛍光ランプ１０１を支持するとともに、電力を供給する口金部１０２が取付けられており、複数本のランプピン１０３が突設されている。また、口金部１０２の中央部には、突出部１０４が設けられており、突出部１０４の側周壁１０４ａの両側には、抜け止め用係止部１０５が設けられている。さらに、口金部１０２の周側面１０２ａには、蛍光ランプ１０１の定格電力に応じて各々異なる部位に、誤挿入防止用突起１０６が設けられている。一方、蛍光ランプ１０１が取付けられるソケット（図示省略）には、装着される蛍光ランプ１０１を判別する判別部であるスイッチが設けられており、装着された蛍光ランプ１０１の誤挿入防止用突起１０６がスイッチを押圧することにより、定格電力を判別するようになっている（例えば特許文献１参照）。
【特許文献１】特開２００１−３５７９８８号公報（第２図）
【発明の開示】
【発明が解決しようとする課題】
【０００３】
しかしながら、前述した特許文献１に記載の照明器具においては、ソケットに設けられたスイッチによって入力電力を切替えているので、部品点数が増えるとともに、複雑な構成となっていたという問題があった。
【０００４】
本発明は、従来の問題を解決するためになされたもので、ランプピン間隔が異なる蛍光ランプに、簡易な構成により適正な電力を間違うことなく供給することができる照明器具を提供することを目的とする。
【課題を解決するための手段】
【０００５】
本発明の照明器具は、蛍光ランプの端部に設けられている口金から突設されている１対のランプピンを、ソケットに設けられている電源端子に接続して前記蛍光ランプを点灯させる照明器具であって、前記蛍光ランプの種類に応じて前記ランプピンの長さを変えるとともに、前記ソケットに装着された前記ランプピンの長さを自動判別して、ランプピンの長さに対応して前記電源端子に供給する電力を変えた構成を有している。
【０００６】
この構成により、蛍光ランプの口金に設けられている１対のランプピンの長さを定格電力に応じて変え、ソケットに装着されたランプピンの長さを自動判別して、長さに対応して電源端子に供給する電力を変えるようにしたので、蛍光ランプをソケットに装着するだけで、間違いなく装着された蛍光ランプに定格電力を供給することができる。
【０００７】
また、本発明の照明器具は、前記ソケット内部の前記蛍光ランプ側に前記電源端子を配置するとともに、前記電源端子の後方に長い前記ランプピンのみを検出する検出端子を設けた構成を有している。
【０００８】
この構成により、蛍光ランプの種類に応じてランプピンを異なる長さに形成し、ソケット内部における電源端子の後方に、長いランプピンのみが接触する接触子を設けて、ランプピンの長さを判別するので、蛍光ランプをソケットに装着するだけで蛍光ランプを判別でき、間違いなく装着された蛍光ランプに定格電力を供給することができる。
【０００９】
さらに、本発明の照明器具は、前記ソケット内部における前記蛍光ランプ側およびその後方に同心の回転子を各々独立して回転可能に設け、短い前記ランプピンが装着された場合には前記蛍光ランプ側の回転子のみが回転し、長い前記ランプピンが装着された場合には両回転子が回転することにより前記ランプピンの長さを判別する構成を有している。
【００１０】
この構成により、蛍光ランプの種類に対応してランプピンを異なる長さに形成し、ソケット内部には蛍光ランプ側およびその後方に同心で多重の回転子を各々独立して回転可能に設けた。そして、短いランプピンが装着された場合には蛍光ランプ側の回転子のみが回転し、長いランプピンが装着された場合には両回転子が回転するようにしたので、蛍光ランプをソケットに装着するだけで蛍光ランプを判別でき、間違いなく装着された蛍光ランプに定格電力を供給することができる。
【００１１】
さらに、本発明の照明器具は、前記ソケット内部の前記蛍光ランプ側に前記電源端子を配置するとともに、前記電源端子の後方に長い前記ランプピンのみが接触するスイッチを設けた構成を有している。
【００１２】
この構成により、蛍光ランプの種類に応じてランプピンを異なる長さに形成し、電源端子の後方に、長いランプピンのみを検出するスイッチを設けたので、蛍光ランプをソケットに装着するだけでスイッチが蛍光ランプを判別して、間違いなく装着された蛍光ランプに定格電力を供給することができる。
【発明の効果】
【００１３】
本発明は、蛍光ランプの口金に設けられている１対のランプピンの長さを定格電力に応じて変え、ソケットに装着されたランプピンの長さを自動判別して、長さに対応して電源端子に供給する電力を変えるようにしたので、蛍光ランプをソケットに装着するだけで、間違いなく装着された蛍光ランプに定格電力を供給することができる。
【発明を実施するための最良の形態】
【００１４】
以下、本発明の実施の形態の照明器具について、図面を用いて説明する。
図１は本発明の第１実施形態にかかる照明器具における蛍光ランプとソケットとの取付部の正面図であり、（Ａ）はランプピンが短い場合、（Ｂ）はランプピンが長い場合を示す。
【００１５】
図１に示すように、第１実施形態にかかる照明器具１０Ａは、蛍光ランプ１１の端部に設けられている口金１２から突設されている１対のランプピン１３，１３（１４，１４）を、異なる長さに形成している。すなわち、ランプピン１３は短く、ランプピン１４は長く形成されている。両ランプピン１３、１４は、長さは異なるが、断面形状は同じである。
【００１６】
また、ソケット２０内部には、短いランプピン１３および長いランプピン１４の両方に接触して電気的に接続される１対の電源端子２１，２１と、その奥側（図１において右側）に、長いランプピン１４の場合にのみ接触して接続可能な検出端子２２、２２を設けた。そして、電源端子２１、２１を安定器３０に接続するとともに、検出端子２２，２２を、安定器３０に設けられ、検出端子２２からの信号に基づいて、ランプピン１３、１４の長さを検出して、電源端子２１、２１に供給する定格電力を指令する安定器内蔵リレー３１に、接続した。安定器内蔵リレー３１は開いた状態にあり、検出端子２２から検出信号が送られると閉じる。これにより、長いランプピン１４を検出する。
【００１７】
従って、図１（Ａ）に示すように、短いランプピン１３を有する蛍光ランプ１１Ａをソケット２０に装着すると、ランプピン１３は電源端子２１，２１のみに接触して、検出端子２２には接触子ない。このため、安定器内蔵リレー３１は開いた状態のままであり、安定器３０はランプピン１３が短いと判断して、短いランプピン１３を有する蛍光ランプ１１Ａに対応した定格電力を電源端子２１に供給する。
【００１８】
一方、図１（Ｂ）に示すように、長いランプピン１４を有する蛍光ランプ１１Ｂをソケット２０に装着すると、ランプピン１４は電源端子２１，２１および検出端子２２、２２に接触する。このため、検出端子２２からの検出信号により、安定器内蔵リレー３１は閉じるので、安定器３０はランプピン１４が長いと判断して、長いランプピン１４を有する蛍光ランプ１１Ｂに対応した定格電力を電源端子２１に供給する。なお、安定器内蔵リレー３１が閉じて、ランプピン１４が長いと判断した場合には、安定器３０は、長いランプピン１４であることを優先して、蛍光ランプ１１Ｂに電力を供給する。
【００１９】
以上、説明した第１実施形態にかかる照明器具１０Ａによれば、蛍光ランプ１１の口金１２に設けられている１対のランプピン１３、１４の長さが異なる形状とし、ソケット２０に、長いランプピン１４のみに接触する検出端子２２を設けてランプピン１３、１４の長さを判別する。そして、判別した長さのランプピン１３、１４に対応して電源端子２１、２１に供給する電力を変えるようにしたので、蛍光ランプ１１をソケット２０に装着するだけで、装着された蛍光ランプ１１に間違いなく定格電力を供給することができる。
【００２０】
次に、本発明の第２実施形態にかかる照明器具について、図面を用いて説明する。
図２は本発明の第２の実施の形態にかかる照明器具における蛍光ランプとソケットとの取付部の正面図であり、（Ａ）はランプピンが短い場合、（Ｂ）はランプピンが長い場合を示す、図３（Ａ）はソケットの斜視図、図３（Ｂ）は後側の回転子の正面図である。なお、前述した第１実施形態にかかる照明器具と共通する部位には同じ符号を付して、重複する説明を省略することとする。
【００２１】
図２および図３に示すように、本発明の第２実施形態にかかる照明器具１０Ｂでは、ソケット２０内部における蛍光ランプ側（前側、図２において左側）およびその後方（図２において右側）に同心の回転子２３、２４を各々独立して回転可能に設け、短いランプピン１３が装着された場合には蛍光ランプ側の回転子２３のみが回転し、長いランプピン１４が装着された場合には両回転子２３，２４が回転することにより前記ランプピンの長さを判別する。なお、両回転子２３、２４は、各々別個に回転可能であるが、短いランプピン１３が挿入された状態で、前側の回転子２３の回転につられて後側の回転子２４が回転することはない。
【００２２】
図３に示すように、ソケット２０の上部には、ランプピン１３，１４を挿入するための開口部２０ａ、２０ｂが設けられており、この開口部２０ａ、２０ｂに連続して、両回転子２３、２４にはスリット２７ａ、２７ｂ（図３（Ｂ）参照）が各々設けられている。前側の回転子２３には、ランプピン１３，１４に接触して電力を供給する電源端子２１が設けられている。後側の回転子２４には、電源端子２１の延長としてランプピン挿入穴２５が設けられている。
【００２３】
さらに、図３（Ｂ）に示すように、後側の回転子２４の外周面には検出用突起２４ａが設けられており、回転子２４の外側近傍には、検出用突起２４ａが当接することにより、後側の回転子２４が回転したことを検知する接触子２６が設けられている。検出子２６は、安定器３０に設けられている判断部３２に接続されている。なお、検出用突起２４ａと接触子２６の位置関係により、回転子２４の回転角度を設定することができる。図３（Ｂ）においては、例えば９０度の回転を検出する場合が示されている。
【００２４】
従って、図２（Ａ）に示すように、短いランプピン１３、１３を有する蛍光ランプ１１Ａのランプピン１３、１３を、ソケット２０のスリット２４から挿入した場合には、ランプピン１３は短いので前側の回転子２３の電源端子２１のみに接触する。このため、蛍光ランプ１１Ａを回転させると、前側の回転子２３のみが回転して、後側の回転子２４は回転しないので、接触子２６から判断部３２に検知信号は送られない。判断部３１は、後側の回転子２４が回転したことを検知しないので、安定器３０から電源端子２１に、短いランプピン１３を有する蛍光ランプ１１Ａに対応した定格電力を供給する。
【００２５】
一方、図２（Ｂ）に示すように、長いランプピン１４を有する蛍光ランプ１１Ｂをソケット２０に装着すると、ランプピン１４は長いため、前側の回転子２３の電源端子２１および後側の回転子２４の検出端子２２に接触する。従って、蛍光ランプ１１Ｂを回転させると、両回転子２３、１４が回転するので、後側の回転子２４の検出用突起２４ａが接触子２６に接触して、判断部３２に検出信号を発する。判断部３２は、接触子２６からの検出信号に基づいて、後側の回転子２４が回転したことを検知し、ランプピン１４は長いと判断して、長いランプピン１４を有する蛍光ランプ１１Ｂに対応した定格電力を供給するように安定器３０に指令する。
【００２６】
以上、説明した第２実施形態にかかる照明器具１０Ｂによれば、蛍光ランプ１１の種類に対応してランプピン１３，１４を異なる長さに形成し、ソケット２０内部には蛍光ランプ側およびその後方に同心の回転子２３，２４を各々独立して回転可能に設けた。そして、短いランプピン１３が装着された場合には蛍光ランプ側の回転子２３のみが回転し、長いランプピン１４が装着された場合には両回転子２３，２４が回転するようにしたので、蛍光ランプ１１をソケット２０に装着するだけで蛍光ランプ１１を判別でき、装着された蛍光ランプ１１に間違いなく定格電力を供給することができる。
【００２７】
次に、本発明の第３実施形態にかかる照明器具について、図面を用いて説明する。
図４は本発明の第３の実施の形態にかかる照明器具における蛍光ランプとソケットとの取付部および要部構成図であり、（Ａ）はランプピンが短い場合、（Ｂ）はランプピンが長い場合を示す。なお、前述した第１または第２実施形態にかかる照明器具と共通する部位には同じ符号を付して、重複する説明を省略することとする。
【００２８】
図４に示すように、本発明の第３実施形態にかかる照明器具１０Ｃでは、ソケット２０内部に、長いランプピン１３のみが接触するスイッチ２８を設けた。スイッチ２８は、前側（図４で左側）の前板２８ａと、後側（図４で左側）の後板２８ｂとを有しており、両板２８ａ、２８ｂは各々安定器３０の判断部３２に接続されている。前板２８ａは前後に移動可能でかつ常時は前方に付勢されている。後板２８ｂは、前方に位置する前板２８ａと一定の間隔で後方に設けられており、僅かに後方へ移動可能となっている。また、後板２８ｂは、常時は、長いランプピン１４がソケット２０に挿入されたときに、ランプピン１４によって後方へ移動された前板２８ａが当接する位置に配置されている。
【００２９】
従って、図４（Ａ）に示すように、短いランプピン１３、１３を有する蛍光ランプ１１Ａのランプピン１３、１３を、ソケット２０のスリット２４に挿入した場合には、ランプピン１３は短いのでスイッチ２８の前板２８ａに接触しないか、あるいは前板２８ａを後方へ移動させるほどは当接しない。このため、スイッチ２８はオフの状態であり、判断部３２は、スイッチ２８からのオフ信号に基づいて、短いランプピン１３を有する蛍光ランプ１１Ａが装着されたことを検知し、蛍光ランプ１１Ａに対応した定格電力を供給するように安定器３０に指令する。
【００３０】
一方、図４（Ｂ）に示すように、長いランプピン１４を有する蛍光ランプ１１Ｂをソケット２０に装着すると、ランプピン１４は長いため、スイッチ２８の前板２８ａを後方へ押して移動させ、後板２８ｂと接触させる。このため、スイッチ２８はオンとなり、判断部３２は、スイッチ２８からのオン信号に基づいて、長いランプピン１４を有する蛍光ランプ１１Ｂが装着されたことを検知し、蛍光ランプ１１Ｂに対応した定格電力を供給するように安定器３０に指令する。
【００３１】
以上、説明した第３実施形態にかかる照明器具１０Ｃでは、蛍光ランプ１１の種類に応じてランプピン１３，１４を異なる長さに形成し、電源端子２１の後方に、長いランプピン１４のみを検出するスイッチ２８を設けたので、蛍光ランプ１１をソケット２０に装着するだけでスイッチ２８が蛍光ランプ１１を判別して、装着された蛍光ランプ１１に間違いなく定格電力を供給することができる。
【００３２】
なお、本発明の照明器具は、前述した各実施形態に限定されるものでなく、適宜な変形，改良等が可能である。
例えば、前述した各実施形態では、短いランプピン１３を検出したときに短いランプピン１３を有する蛍光ランプ１１Ａ用の定格電力を供給し、長いランプピン１４を検出したときに長いランプピン１４を有する蛍光ランプ１１Ｂ用の定格電力を供給するようにする場合について説明したが、初期状態として、電源端子２１には短いランプピン１３を有する蛍光ランプ１１Ａ用の定格電力を供給するようにしておき、長いランプピン１４を検出したときのみに長いランプピン１４を有する蛍光ランプ１１Ｂ用の定格電力を供給するように切替えることもできる。
【図面の簡単な説明】
【００３３】
【図１】本発明の第１実施形態にかかる照明器具における蛍光ランプとソケットとの取付部の正面図であり、（Ａ）はランプピンが短い場合、（Ｂ）はランプピンが長い場合を示す
【図２】本発明の第２の実施の形態にかかる照明器具における蛍光ランプとソケットとの取付部の正面図であり、（Ａ）はランプピンが短い場合、（Ｂ）はランプピンが長い場合を示す
【図３】（Ａ）はソケットの斜視図、（Ｂ）は後側の回転子の正面図ソケットの斜視図
【図４】本発明の第３の実施の形態にかかる照明器具における蛍光ランプとソケットとの取付部および要部構成図であり、（Ａ）はランプピンが短い場合、（Ｂ）はランプピンが長い場合を示す
【図５】従来の照明器具の側面図
【符号の説明】
【００３４】
１０  照明器具
１１  蛍光ランプ
１２  口金
１３，１４  ランプピン
２０  ソケット
２１  電源端子
２２  検出端子
２３、２４  回転子
２８  スイッチ
【図１】
2009283231.tif 000003
【図２】
2009283231.tif 000004
【図３】
2009283231.tif 000005
【図４】
2009283231.tif 000006
【図５】
2009283231.tif 000007